(57)【特許請求の範囲】
【請求項１】
構造部材により支持される捨て貼り材と、前記捨て貼り材の下面に貼り付けられる仕上げ材と、を有すると共に、取付穴が設けられており、かつ、前記取付穴において、前記仕上げ材の縁端面よりも前記捨て貼り材の縁端面が段状に突出している天井材の、前記取付穴に埋め込まれて使用される照明器具であって、
前記構造部材に固定される取付金具と、
前記取付金具の内側に保持される反射板と、
前記反射板の内側に取り付けられる灯具と、を備え、
前記反射板は、下方外側へ傾斜する傾斜面であって前記仕上げ材の下面の位置に達するように延在する傾斜面と、前記傾斜面の下端部にて上方に折り曲げられると共に、前記仕上げ材に当接し、かつ、上端部が前記捨て貼り材の縁端部の下面に突き当てられる第１部分と、
を有し、
かつ、前記傾斜面の鉛直下向き方向に対する傾斜角は、前記傾斜面に照明光が照射された場合に、前記傾斜面が影にならない傾斜角である照明器具。
【請求項２】
請求項１に記載の照明器具において、さらに、
前記取付金具は、前記構造部材に固定されると共に、上板と、対向する一対の側板と、を有し、下方が開口した全体コ字状を呈しており、かつ、前記一対の側板の各々が互いに接近する方向に付勢されており、
前記反射板は、前記取付金具の前記対向する一対の側板の各々の付勢力によって前記取付金具の内側に保持されると共に、天板と、一対の側板と、を有し、
前記反射板における前記一対の側板の各々は、前記天板に連接し、互いに対向し、かつ、前記天板と共に下方に開口した断面コ字状の部分を構成する第２部分を有し、前記傾斜面は、前記第２部分の下端に連接する照明器具。
【請求項３】
請求項２に記載の照明器具において、
前記反射板が、前記仕上げ材の縁端部の下面を受ける構造を持った照明器具。
【請求項４】
請求項２または請求項３に記載の照明器具の施工方法であって、
前記天井材を支える前記構造部材に前記取付金具を固定する工程と、
前記取付穴としての開口部が設けられている前記捨て貼り材を前記構造部材に固定する工程と、
前記照明器具の前記反射板を、前記取付金具の下方から挿入し、前記取付金具の前記一対の側板の各々の付勢力によって前記取付金具の内側に前記反射板を保持する工程と、
前記捨て貼り材の縁端面よりも段状に突出した縁端面を有する前記仕上げ材を、前記反射板と前記仕上げ材とが当接するように、かつ、前記反射板の前記傾斜面が、前記捨て貼り材の縁端面および前記仕上げ材の縁端面を覆い隠すように施工する工程と、
前記灯具を、前記反射板の内側に取り付ける工程と、
を含む照明器具の施工方法。
【発明の詳細な説明】
【技術分野】
【０００１】
本発明は、天井に設けられた取付穴に取り付けられる埋込型の照明器具および照明器具の施工方法に関するものである。
【背景技術】
【０００２】
従来より、天井に設けられた取付穴に取り付けられる埋込型の照明器具が知られている（例えば、特許文献１参照）。
図８に示すように、特許文献１に記載の照明器具１００は、天井１０１に設けられた取付穴１０２に取り付けられる。天井１０１は、例えば上階の床に打設されたアンカーボルト１０３により、構造部材であるＣチャンネル１０４が吊り下げ支持されており、Ｃチャンネル１０４にはＭバー受け金具１０５が取り付けられる。天井１０１は、Ｍバー１０６に取り付けられる。
【０００３】
天井１０１は、天井下地ボード１０７と、この天井下地ボード１０７の下面に貼り付けられた天井仕上げボード１０８を有する。取付穴１０２は、天井下地ボード１０７および天井仕上げボード１０８を切り欠いて設けられている。
照明器具１００は、照明器具本体１０９を有し、照明器具本体１０９はハンガー１１０により、Ｃチャンネル１０４に取り付けられた固定具１１１により吊り下げ支持される。照明器具本体１０９には、対をなすソケット１１２が設けられており、ソケット１１２により両端を支持される蛍光ランプ１１３が光源として設けられている。
【先行技術文献】
【特許文献】
【０００４】
【特許文献１】特開２００３−６８１３２号公報（第２図）
【発明の概要】
【発明が解決しようとする課題】
【０００５】
しかしながら、前述した特許文献１に記載の照明器具１００においては、照明器具本体１０９の縁部１１４が天井１０１の下面に露出しており、蛍光ランプ１１３の光を遮って影部分を生じるとともに、縁部１１４が天井１０１から突出するので意匠的に好ましくないという問題があった。
【０００６】
本発明は、従来の問題を解決するためになされたもので、意匠性を向上させるとともに影になる部分を減少させることができる照明器具および照明器具の施工方法を提供することを目的とする。
【課題を解決するための手段】
【０００７】
本発明の照明器具は、構造部材により支持される捨て貼り材と、捨て貼り材の下面に貼り付けられる仕上げ材と、を有すると共に、取付穴が設けられており、かつ、取付穴において、仕上げ材の縁端面よりも捨て貼り材の縁端面が段状に突出している天井材の、取付穴に埋め込まれて使用される照明器具であって、構造部材に固定される取付金具と、取付金具の内側に保持される反射板と、反射板の内側に取り付けられる灯具と、を備え、反射板は、下方外側へ傾斜する傾斜面であって仕上げ材の下面の位置に達するように延在する傾斜面と、傾斜面の下端部にて上方に折り曲げられると共に、仕上げ材に当接し、かつ、上端部が捨て貼り材の縁端部の下面に突き当てられる第１部分と、を有し、かつ、傾斜面の鉛直下向き方向に対する傾斜角は、傾斜面に照明光が照射された場合に、傾斜面が影にならない傾斜角であるものである。
【０００８】
また、本発明の照明器具は、さらに、取付金具は、構造部材に固定されると共に、上板と、対向する一対の側板と、を有し、下方が開口した全体コ字状を呈しており、かつ、一対の側板の各々が互いに接近する方向に付勢されており、反射板は、取付金具の対向する一対の側板の各々の付勢力によって取付金具の内側に保持されると共に、天板と、一対の側板と、を有し、反射板における一対の側板の各々は、天板に連接し、互いに対向し、かつ、天板と共に下方に開口した断面コ字状の部分を構成する第２部分を有し、傾斜面は、第２部分の下端に連接するものである。
【０００９】
さらに、本発明の照明器具は、反射板が、仕上げ材の縁端部の下面を受ける構造を持ったものである。
【００１０】
さらに、本発明の照明器具の施工方法は、天井材を支える構造部材に取付金具を固定する工程と、取付穴としての開口部が設けられている捨て貼り材を構造部材に固定する工程と、照明器具の反射板を、取付金具の下方から挿入し、取付金具の一対の側板の各々の付勢力によって取付金具の内側に反射板を保持する工程と、捨て貼り材の縁端面よりも段状に突出した縁端面を有する仕上げ材を、反射板と仕上げ材とが当接するように、かつ、反射板の傾斜面が、捨て貼り材の縁端面および仕上げ材の縁端面を覆い隠すように施工する工程と、灯具を、反射板の内側に取り付ける工程と、を含むものである。
【発明の効果】
【００１１】
本発明は、天井材の上側にある捨て貼り材の縁端面が、下側にある仕上げ材の縁端面よりも突出している取付穴において、照明器具の反射板の下端部に設けられている傾斜面が、取付穴の外側まで達して捨て貼り材の縁端面および仕上げ材の縁端面を覆い隠すので、意匠性を向上できる。また、反射板の下端部が傾斜面となっているので、従来のような反射板の下端部によって生じる影を防止できるという効果を有する照明器具および照明器具の施工方法を提供できる。
【図面の簡単な説明】
【００１２】
【図１】本発明に係る第１実施形態の照明器具および取付部位を示す分解斜視図
【図２】本発明に係る第１実施形態の照明器具を照射方向反対側から見た全体斜視図
【図３】本発明に係る第１実施形態の照明器具を天井材に取り付けた状態を示す一部破断の斜視図
【図４】天井材の取付穴に取り付けられた反射板の形状を示す断面図
【図５】（Ａ）〜（Ｆ）は照明器具の施工方法の工程を示す斜視図
【図６】天井材の取付穴に取り付けられた第２実施形態の照明器具の反射板の形状を示す断面図
【図７】天井材の取付穴に取り付けられた第２実施形態の照明器具の反射板の変形例の形状を示す断面図
【図８】従来の天井に埋込式の照明器具の断面図
【発明を実施するための形態】
【００１３】
（第１実施形態）
以下、本発明に係る第１実施形態の照明器具および照明器具の施工方法について、図面を用いて説明する。
図１に示すように、本発明に係る実施形態の照明器具１０は、天井材１１に設けられた取付穴１２に埋め込まれて使用される埋込式のものである。天井材１１は、上方にある構造部材（図示省略）により支持される捨て貼り材１３と、この捨て貼り材１３の下面に貼り付けられる仕上げ材１４を有する。従って、取付穴１２は、捨て貼り材１３の開口部１３３と、仕上げ材１４の開口部１４３とから構成される。取付穴１２においては、仕上げ材１４の縁端面１４１よりも捨て貼り材１３の縁端面１３１が、段状に突出している（図４参照）。
【００１４】
図１および図２に示すように、照明器具１０は、天井材１１の照射方向反対側である裏側（図１および図２において上側）の構造部材（図示省略）に上端が固定される取付用ボルト３１を有しており、取付用ボルト３１の下端には後述する器具本体２０を係止する取付金具３０が取り付けられる。
【００１５】
図３に示すように、取付金具３０は、上板３２と、対向する一対の側板３３，３４からなる下方が開口した全体コ字状を呈している。上板３２は、側板３３，３４よりも照明器具１０の長手方向中央側に長く延びており、この部分に取付用ボルト３１により係止される貫通穴３５を有する。上板３２の長手方向外側端部には、後述する灯具取付バネ２３用の切欠３６が設けられている。各側板３３，３４の下端部は外向きに折り曲げられて係止部３８が形成されており、両側板３３，３４は、鉛直下方よりも互いに接近する方向すなわち各係止部３８が接近する方向に付勢されている。
【００１６】
また、取付金具３０の内部の長手方向外側端部には、底板３７１および一対の側板３７２，３７３からなる上方に開口した全体コ字状の押さえ板３７が取り付けられている。押さえ板３７の側板３７２，３７３は、取付金具３０の側板３３，３４の内面に固定されている。また、押さえ板３７の底板３７１には、灯具取付バネ２３用の切欠３７４が設けられている。
【００１７】
図１および図３に示すように、器具本体２０は、反射板２１と、反射板２１の内部に装着される灯具２２を有する。
図３および図４に示すように、反射板２１は、取付金具３０の内部に保持されるものであり、天板２１１と、対向する一対の側板２１２，２１３を有し、下方へ開口した断面コ字状の細長い部材である。天板２１１の幅すなわち両側板２１２，２１３の間隔は、取付金具３０の両側板３３，３４の間隔よりも若干小さめとなっている。従って、反射板２１を取付金具３０の両側板３３，３４間に押し込むと、両側板３３，３４の付勢力により保持される。
天板２１１の長手方向両端部には、灯具２２から上方へ突出して設けられている灯具取付バネ２３を係止するための係止穴２１７が設けられている。この係止穴２１７は、取付金具３０の押さえ板３７に設けられている切欠３７４の下側に位置する。
【００１８】
また、側板２１２，２１３の下端部は、各々外側下方へ傾斜した傾斜面２１４を有し、さらに先端部２１５は上向きに折り曲げ形成されており、先端面２１６は、取付状態で捨て貼り材１３の縁端部下面１３２に当接する。傾斜面２１４の下端２１８は、取付穴１２の下端部すなわち仕上げ材１４の下面１４２に達している。傾斜面２１４は、灯具２２から照射される照明光に沿った角度とするのが望ましい。少なくとも、傾斜面２１４の上端に照明光が照射されて、傾斜面２１４および下端２１８が影にならないような傾斜角度にする。
なお、反射板２１の天板２１１の上には、光源であるＬＥＤパッケージ２４点灯用の電源ブロック２６が設けられている（図１参照）。
【００１９】
図１および図３に示すように、灯具２２は、樹脂製の矩形断面を有する細長い箱状部材であり、内部には、長手方向に所定間隔で複数の光源としてのＬＥＤパッケージ２４が下向きに設けられている。灯具２２の上面には、灯具２２を反射板２１に取り付けるための灯具取付バネ２３が設けられている。灯具取付バネ２３は一対のアーム２３１，２３１を有しており、両アーム２３１，２３１は、互いに離反する方向へ付勢されている。各アーム２３１，２３１の先端はリング状に屈曲されて、係止部２３２が設けられている。
なお、ＬＥＤパッケージ２４の照射方向前方（すなわち、下方）である灯具２２の下面には、上下方向のルーバー２５が所定間隔で平行に設けられている。
【００２０】
従って、灯具２２を反射板２１に取り付ける際には、灯具取付バネ２３のアーム２３１，２３１の係止部２３２を近付ける方向へ指でつまんで弾性変形させ、係止部２３２から反射板２１の係止穴２１７および取付金具３０の切欠３７４に通す。その後、指を放すと、アーム２３１の弾性力により灯具２２は反射板２１に取り付けられる。
また、灯具２２を反射板２１から取り外す際には、灯具取付バネ２３の係止部２３２が反射板２１の係止穴２１７および取付金具３０の切欠３７４に係止されるまで灯具２２を下方へ引き下げ、一旦係止する。その後、灯具取付バネ２３のアーム２３１を指でつまんで両係止部２３２を接近させ、反射板２１の係止穴２１７および取付金具３０の切欠３７４から引き抜く。
【００２１】
次に、本発明に係る照明器具の施工方法について説明する。
図５（Ａ）に示すように、天井材１１を支える構造部材（図示省略）に上端が取り付けられた取付用ボルト３１を予め設けておく。図５（Ｂ）に示すように、取付金具３０の貫通穴３５に取付用ボルト３１の下端部を挿通し、ナット３１１で固定する。
次いで、図５（Ｃ）に示すように、捨て貼り材１３を構造部材に取り付ける。このとき、捨て貼り材１３の開口部１３３に取付金具３０を挿嵌し、側板３３，３４の下端に設けられている係止部３８が捨て貼り材１３の開口部１３３の外周部を下方から支持するようにする。
【００２２】
次いで、図５（Ｄ）に示すように、反射板２１を取付金具３０の下方から挿嵌して、取付金具３０の両側板３３，３４の付勢力により反射板２１を保持する。このとき、反射板２１の天板２１１が、取付金具３０の押さえ板３７に当接するまで押し込む。このようにして反射板２１を取付金具３０に取り付けたら、図５（Ｅ）に示すように、仕上げ材１４を捨て貼り材１３の縁端部下面１３２に貼り付ける。このとき、仕上げ材１４の縁端面１４１は、捨て貼り材１３の縁端面１３１よりも取付穴１２に段状に突出している（図４参照）。
【００２３】
そして、図５（Ｆ）および図３に示すように、灯具２２を反射板２１の内部に収容する。すなわち、灯具取付バネ２３の一対のアーム２３１，２３１の係止部２３２を近付ける方向へ指でつまんで弾性変形させ、係止部２３２から反射板２１の係止穴２１７および取付金具３０の切欠３７４に通す。そして、指を放すと、アーム２３１の弾性力により灯具２２は反射板２１に取り付けられる。
【００２４】
この状態では、灯具取付バネ２３の係止部２３２が反射板２１の係止穴２１７および取付金具３０の切欠３７４に係止されるので、灯具２２は仮保持される。最後に，さらに灯具２２を反射板２１の内部に押し込むと、互いに離反する方向へ付勢される一対のアーム２３１により、反射板２１および押さえ板３７を下方へ押して保持される。
【００２５】
また、前述した工程を逆に実施することにより、灯具２２を反射板２１から取り外したり、反射板２１を取付金具３０から取り外すことができる。
【００２６】
以上、説明した本発明に係る第１実施形態の照明器具によれば、照明器具１０は、仕上げ材１４と捨て貼り材１３からなる天井材１１に設けられた取付穴１２に取り付けて使用される埋込式のものであり、天井材１１の裏側の構造部材に固定されている取付金具３０の下方に取り付けられる反射板２１および反射板２１の内側に取り付けられる灯具２２を有する。取付穴１２では、上側にある捨て貼り材１３の縁端面１３１が、下側にある仕上げ材１４の縁端面１４１よりも突出しているが、反射板２１の下端部に設けられている傾斜面２１４が、取付穴１２の外側まで達して捨て貼り材１３の縁端面１３１および仕上げ材１４の縁端面１４１を覆い隠すので、意匠性を向上できる。
また、反射板２１の下端部が傾斜面２１４となっているので、従来のような反射板２１の下端部によって発生する影を防止できる。
【００２７】
また、反射板２１の下端部を屈曲して、先端面２１６が捨て貼り材１３の縁端部下面１３２に突き当てられるので、反射板２１が天井材１１から突出するのを防止でき、意匠性を向上できる。また、捨て貼り材１３の縁端面１３１を下側から支えるので、捨て貼り材１３が下方へ撓むのを防止できる。
【００２８】
また、本発明に係る第１実施形態の照明器具の施工方法によれば、天井材１１を支える構造部材に取付金具３０を固定し、照明器具１０の取付穴１２が開口された捨て貼り材１３を構造部材に固定し、照明器具１０の反射板２１を取付金具３０に固定し、捨て貼り材１３の縁端面１３１よりも段状に突出した縁端面１４１を有する仕上げ材１４を施工した後に、灯具２２を反射板２１に固定する。
このため、幅細の埋込式の照明器具１０を天井材１１に容易に取り付けることができるとともに、反射板２１の下端部に設けられている傾斜面２１４が、捨て貼り材１３の縁端面１３１および仕上げ材１４の縁端面１４１を覆い隠すので、意匠性を向上できる。
また、反射板２１の下端部が傾斜面２１４となっているので、従来のような反射板２１の下端部によって発生する影を防止できる。
【００２９】
（第２実施形態）
次に、本発明に係る第２実施形態の照明器具について説明する。なお、前述した第１実施形態にかかる照明器具と共通する部位には同じ符号を付して、重複する説明を省略することとする。
図６に示すように、第２実施形態の照明器具１０Ｂは、反射板２１Ｂが、仕上げ材１４の縁端部下面１４２を受ける構造を有する。すなわち、傾斜面２１４の下端２１８が、仕上げ材１４の縁端部下面１４２に当接して支持している。
【００３０】
また、図７には第２実施形態の照明器具１０Ｂの変形例が示されている。この照明器具１０Ｃでは、反射板２１Ｃの傾斜面２１４の下端２１８から、水平部２１９を設けて、仕上げ材１４の縁端部下面１４２を支持している。
【００３１】
以上、説明した本発明に係る第２実施形態の照明器具１０Ｂ、１０Ｃによれば、前述した作用・効果に加え、反射板２１Ｂ、２１Ｃが仕上げ材１４の縁端部下面１４２を受けて支持するので、仕上げ材１４が下方へ撓むのを防止でき、意匠性が向上する。
【００３２】
なお、本発明の照明器具および照明器具の施工方法は、前述した各実施形態に限定されるものでなく、適宜な変形，改良等が可能である。
例えば、前述した各実施形態においては、灯具２２に設ける光源としてＬＥＤパッケージ２４を用いた例を示したが、そのほか、例えば直管型の蛍光ランプ等を使用することも可能である。
【００３３】
また、前述した照明器具の施工方法によれば、捨て貼り材１３を構造部材に固定し、照明器具１０の反射板２１を取付金具３０に固定した後に、仕上げ材１４を施工する場合について説明したが、捨て貼り材１３および仕上げ材１４を施工した後に、反射板２１を取り付け、灯具２２を反射板２１に固定することも可能である。
【符号の説明】
【００３４】
１０，１０Ｂ，１０Ｃ  照明器具
１１  天井材
１２  取付穴
１３  捨て貼り材
１３１  縁端面
１３２  縁端部下面
１３３  開口部（取付穴）
１４  仕上げ材
１４１  縁端面
１４２  縁端部下面
２１，２１Ｂ,２１Ｃ  反射板
２１４  傾斜面
２１６  先端面
２１８  傾斜面の下端
２２  灯具
３０  取付金具
【図１】
0005595156.tif 000002
【図２】
0005595156.tif 000003
【図３】
0005595156.tif 000004
【図４】
0005595156.tif 000005
【図５】
0005595156.tif 000006
【図６】
0005595156.tif 000007
【図７】
0005595156.tif 000008
【図８】
0005595156.tif 000009